(57)【要約】【課題】防振制御手段を持つカメラにおいて、防振制御手段がＯＮ，ＯＦＦどちらにおいても、撮影される範囲を示しながら、小型で、小電力で、静音、見易い被写体表示装置（ファインダー）を提供する。【解決手段】１）撮影光学系と、カメラ防振制御手段と、被写体表示手段を有するカメラにおいて、カメラ防振制御手段がＯＮとＯＦＦで、視野率を切り換える手段を持つ。２）ズーミングに応じて、視野率が変化する手段を持つ。３）ブレを検出する振動検出手段が検出した振動量に応じて、視野率を変化させる手段を持つ。【選択図】　　　　図１
2004012499.tif 000002
【特許請求の範囲】
【請求項１】
撮影光学系を有し、
撮影像のブレを低減するカメラ防振制御手段を有し、
かつ、被写体像を観察する被写体表示手段を有するカメラにおいて、
カメラ防振制御手段がＯＦＦの時とカメラ防振制御手段がＯＮの時で、
異なる視野率に切り換える、視野率切り換え手段を持つ事を特徴とする被写体表示装置。
【請求項２】
撮影像のブレを低減するカメラ防振制御手段と、
変倍動作（ズーム）を行う撮影光学系と、
被写体像を観察する被写体表示手段を有するカメラにおいて、
変倍動作に応じて、被写体表示手段の視野率を変化させる視野率変化手段を持つ事を特徴とする被写体表示装置。
【請求項３】
カメラのブレを検出する振動検出手段と、
該振動検出手段の出力に応じてカメラの像ブレを補正する補正光学手段と、
該補正光学手段を制御する制御手段と、を有するカメラ防振制御手段を持ち、
かつ、被写体像を観察する被写体表示手段を有するカメラにおいて、
該振動検出手段が検出した振動量に応じて、被写体表示手段の視野率を変化させる視野率変化手段を持つ事を特徴とする被写体表示装置。
【請求項４】
請求項１のカメラにおいて、
該撮影光学系が、変倍（ズーム）手段を持ち、
該被写体表示手段が、ファインダー光学系であり、
前記ファインダー光学系を駆動するファインダー駆動手段と、
このファインダー駆動手段に係合して、前記撮影光学系と前記ファインダー駆動手段とを連動させる連動手段とを有しており、
前記ファインダー駆動手段と前記連動手段とが、
変倍動作時には、
カメラ防振制御手段がＯＮの際、第１の状態で係合し、
カメラ防振制御手段がＯＦＦの際、第２の状態で係合し、
合焦動作時には、カメラ防振制御手段がＯＮもしくはＯＦＦの少なくともどちらかにおいて、非係合となることを特徴とする請求項１に記載の被写体表示装置。
【請求項５】
請求項４のカメラにおいて、
前記ファインダー駆動手段にカム部が設けられ、
変倍動作時には、
カメラ防振制御手段がＯＮの際、連動手段が前記カム部の第１のカム面に係合して動き、
カメラ防振制御手段がＯＦＦの際、連動手段が前記カム部の第２のカム面に係合して動くように構成されており、
前記カム部は、前記合焦動作時において前記連動手段の前記カム面に対する非係合状態での移動を許容する部分を有することを特徴とする被写体表示装置。
【請求項６】
請求項４、５のカメラにおいて、
前記連動手段が、前記撮影光学系のレンズ鏡筒を構成する部材のうちレンズの位置に応じて光軸方向に移動する部材であることを特徴とする被写体表示装置。
【請求項７】
請求項１のカメラにおいて、
該視野率切り換え手段が、
カメラ防振制御手段がＯＦＦの時は、被写体表示手段を高い視野率に切り換え、
カメラ防振制御手段がＯＮのときは、被写体表示手段をＯＦＦの時よりも低い視野率に切り換える、視野率切り換え手段を持つ事を特徴とする被写体表示装置。
【請求項８】
請求項２のカメラにおいて、
該被写体表示手段の視野率が、
撮影光学系が広角側時における視野率よりも、
撮影光学系が望遠側時における視野率が低い
事を特徴とする被写体表示装置。
【請求項９】
請求項２のカメラにおいて、
該カメラ防振制御手段がＯＮの時は、
該変倍動作に係わらず該被写体表示手段の視野率がほぼ一定で、
該カメラ防振制御手段がＯＦＦの時は、
撮影光学系が広角側時における視野率よりも、
撮影光学系が望遠側時における視野率が低い事を特徴とする被写体表示装置。
【請求項１０】
請求項３のカメラにおいて、
該振動検出手段が検出した振動量が小さい時は、該被写体表示手段の視野率を大きくし、
該振動検出手段が検出した振動量が大きい時は、該被写体表示手段の視野率を小さくする事を特徴とする被写体表示装置。
【請求項１１】
請求項１、２，３，７，８，９，１０のカメラにおいて、
該被写体表示手段が、ＬＣＤ（液晶式表示装置）である事を特徴とする被写体表示装置。
【請求項１２】
請求項１から１０のカメラにおいて、
該被写体表示手段が、光学式のファインダーであって、
該ファインダーを駆動するファインダー駆動手段が、
該撮影光学系の望遠側よりも、より望遠側の撮影範囲を表示可能な延長駆動部分を、
持つことを特徴とする被写体表示装置。
【発明の詳細な説明】
【０００１】
【発明の属する技術分野】
本発明は、カメラ防振制御手段を持つカメラの被写体表示装置に関するものである。詳しくは、カメラ防振制御手段を持つコンパクトカメラの光学式ファインダーや、デジタルカメラのＬＣＤ（液晶式ディスブレ）、ビデオカメラのファインダーに関するものである。
【０００２】
【従来の技術】
近年、ＩＳ（イメージ・スタビライザー）とよばれる防振制御手段を持つカメラが示されている。その具体的例として、特開平１０−１８６４９１号公報に記載の光学機器は、フィルムに被写体像を結像する撮影レンズと、使用者が被写体像を確認するファインダーが別の光学系である。よって、ファインダー中の被写体像と、補正光学系駆動によるフィルムに結像する被写体像のズレとを解消させる為に、ファインダー内の振れ表示手段１０を制御駆動している。即ち、光学式ファインダー内のマスクをシフトして撮影範囲を表示している。
【０００３】
また、特開平０５−２０４０２１号公報に記載のカメラでは、ブレ検出手段を持つカメラにおいて、撮影される範囲を被写体を観察する観察手段に正確に表示するために、観察手段であるファインダーの上下左右の辺に沿って、ＬＣＤよりなるエレメントを設け、検出されるブレに合わせて、所定の物を着色表示させている。即ち、ブレに対応して、ＬＣＤ視野枠を切り換えて、撮影範囲を表示している。
【０００４】
【発明が解決しようとする課題】
しかしながら、上記従来例では、特開平１０−１８６４９１号公報に記載の光学機器の場合、ファインダー中の振れ表示手段１０を指標位置検出手段１２で位置を検出しつつ、指標駆動手段９で常にシフト移動制御する必要が有るため、ファインダーが大型化すると共に、コストが掛かり、制御するための電力を消費し、騒音も発生する欠点がある。
【０００５】
また、特開平０５−２０４０２１号公報に記載のカメラの場合、ＬＣＤエレメントの着色表示によって、ファインダー画面の視野角が狭まりかつ視野粋が上下左右に移動する事により、見えにくいファインダーとなる。また、ＬＣＤを着色表示する電力を消費し、ＬＣＤのスペースによってファインダーが大型化する欠点がある。
【０００６】
本発明の目的は、防振制御手段を持つカメラにおいて、防振制御手段がＯＮ、ＯＦＦどちらにおいても、撮影される範囲を示しながら、小型で、小電力で、静音で、見易い被写体表示装置を提供するものである。
【０００７】
【課題を解決するための手段】
上記目的を達成する為、請求項１記載の発明に係る被写体表示装置は、撮影光学系を有し、撮影像のブレを低減するカメラ防振制御手段を有し、かつ、被写体像を観察する被写体表示手段を有するカメラにおいて、カメラ防振制御手段がＯＦＦの時とカメラ防振制御手段がＯＮの時で、異なる視野率に切り換える、視野率切り換え手段を持つ事により、防振制御の有無に係わらず、見易い被写体表示装置となる。
【０００８】
請求項２記載の発明に係る被写体表示装置は、撮影像のブレを低減するカメラ防振制御手段と、変倍動作（ズーム）を行う撮影光学系と、被写体像を観察する被写体表示手段を有するカメラにおいて、変倍動作に応じて、被写体表示手段の視野率を変化させる視野率変化手段を持つ事により、各々の焦点距離で、見易い被写体表示装置となる。
【０００９】
請求項３記載の発明に係る被写体表示装置は、カメラのブレを検出する振動検出手段と、該振動検出手段の出力に応じてカメラの像ブレを補正する補正光学手段と、該補正光学手段を制御する制御手段と、を有するカメラ防振制御手段を持ち、かつ、被写体像を観察する被写体表示手段を有するカメラにおいて、該振動検出手段が検出した振動量に応じて、被写体表示手段の視野率を変化させる視野率変化手段を持つ事により、カメラブレ量に応じて、見易い被写体表示装置となる。
【００１０】
請求項４記載の発明に係る被写体表示装置は、請求項１のカメラにおいて、該撮影光学系が、変倍（ズーム）手段を持ち、該被写体表示手段が、ファインダー光学系であり、前記ファインダー光学系を駆動するファインダー駆動手段と、このファインダー駆動手段に係合して、前記撮影光学系と前記ファインダー駆動手段とを連動させる連動手段とを有しており、前記ファインダー駆動手段と前記連動手段とが、変倍動作時には、カメラ防振制御手段がＯＮの際、第１の状態で係合し、カメラ防振制御手段がＯＦＦの際、第２の状態で係合し、合焦動作時には、カメラ防振制御手段がＯＮもしくはＯＦＦの少なくともどちらかにおいて、非係合となる事により、小型で、低コストで、小電力で、静音で、見易い被写体表示装置となる。
【００１１】
請求項５記載の発明に係る被写体表示装置は、請求項４のカメラにおいて、前記ファインダー駆動手段にカム部が設けられ、変倍動作時には、カメラ防振制御手段がＯＮの際、連動手段が前記カム部の第１のカム面に係合して動き、カメラ防振制御手段がＯＦＦの際、連動手段が前記カム部の第２のカム面に係合して動くように構成されており、前記カム部は、前記合焦動作時において前記連動手段の前記カム面に対する非係合状態での移動を許容する部分を有する事により、小型で、小電力で、静音で、見易い被写体表示装置となる。
【００１２】
請求項６記載の発明に係る被写体表示装置は、請求項４、５のカメラにおいて、前記連動手段が、前記撮影光学系のレンズ鏡筒を構成する部材のうちレンズの位置に応じて光軸方向に移動する部材である事により、小型な被写体表示装置となる。
【００１３】
請求項７記載の発明に係る被写体表示装置は、請求項１のカメラにおいて、該視野率切り換え手段が、カメラ防振制御手段がＯＦＦの時は、被写体表示手段を高い視野率に切り換え、カメラ防振制御手段がＯＮのときは、被写体表示手段をＯＦＦの時よりも低い視野率に切り換える、視野率切り換え手段を持つ事により、撮影される範囲が見易い被写体表示装置となる。
【００１４】
請求項８記載の発明に係る被写体表示装置は、請求項２のカメラにおいて、該被写体表示手段の視野率が、撮影光学系が広角側時における視野率よりも、撮影光学系が望遠側時における視野率が低い事により、撮影される範囲が見易い被写体表示装置となる。
【００１５】
請求項９記載の発明に係る被写体表示装置は、請求項２のカメラにおいて、該カメラ防振制御手段がＯＮの時は、該変倍動作に係わらず該被写体表示手段の視野率がほぼ一定で、該カメラ防振制御手段がＯＦＦの時は、撮影光学系が広角側時における視野率よりも、撮影光学系が望遠側時における視野率が低い事により、撮影される範囲が見易い被写体表示装置となる。
【００１６】
請求項１０記載の発明に係る被写体表示装置は、請求項３のカメラにおいて、該振動検出手段が検出した振動量が小さい時は、該被写体表示手段の視野率を大きくし、該振動検出手段が検出した振動量が大きい時は、該被写体表示手段の視野率を小さくする事により、見易い被写体表示装置となる。
【００１７】
請求項１１記載の発明に係る被写体表示装置は、請求項１、２，３，７，８，９，１０のカメラにおいて、該被写体表示手段が、ＬＣＤ（液晶式表示装置）である事により、小型で、静音で、見易い被写体表示装置となる。
【００１８】
請求項１２記載の発明に係る被写体表示装置は、請求項１から１０のカメラにおいて、該被写体表示手段が、光学式のファインダーであって、該ファインダーを駆動するファインダー駆動手段が、該撮影光学系の望遠側よりも、より望遠側の撮影範囲を表示可能な延長駆動部分を、持つ事により、小型で、低コストで、小電力な被写体表示装置となる。
【００１９】
【発明の実施の形態】
（実施形態１）
図１は本発明の第１実施形態であるカメラの撮影光学系のズーム鏡筒を示している。円筒内周にメスヘリコイド１ａを持ち、外周に固定用のフランジ部分１ｂを持った固定メスヘリコイド筒１は、その側面略中央に穴１ｃを有する。さらに、内周には複数本のキー溝１ｄを有する。
【００２０】
固定メスヘリコイド筒１とヘリコイド嵌合するオスヘリコイド２ａを持ったオスヘリコイド筒２には、そのヘリコイド・リードに沿ったスパイラルギア２ｂを有する。このスパイラルギア２ｂは、固定メスヘリコイド筒１とオスヘリコイド筒２とがヘリコイド嵌合している状態では、穴１ｃを通じて固定メスヘリコイド筒１の内側に突出した駆動ギヤ３に噛合する。
【００２１】
以上の構成によって、駆動ギア３が回転すると、オスヘリコイド筒２は回転しながら固定メスヘリコイド筒１に対して光軸方向に繰り出す。
【００２２】
また、オスへヘリコイド筒２の内周には、これと回転可能に嵌合し、かつ光軸方向には抜け出ないように固定された直進筒４が収容される。直進筒４の端部には、固定メスヘリコイド筒１のキー溝１ｄと嵌合摺動する複数本のキーが形成されている。従って、オスヘリコイド筒２が固定しながら固定メスヘリコイド筒１に対して繰り出すと、直進筒４は、オスヘリコイド筒２とは一体的に回転することなく固定メスヘリコイド筒１に対して光軸方向に繰り出す。
【００２３】
さらに、直進筒４の内周には、図中不図示のレンズ群や、シャッタ開閉機構、合焦用レンズ繰出し機構等を保持するレンズ枠５，６，７が収容される。各レンズ枠５，６，７の外周には、複数本のカムピン５ａ，６ａ，７ａが取付けられており、これらカムピン５ａ，６ａ，７ａは、直進筒４に形成された長穴４ｂに摺動可能に嵌合している。このため、各レンズ枠５，６，７は直進筒４に対して回転することなく光軸方向に移動可能である。
【００２４】
また、オスヘリコイド筒２の内周には、長穴４ｂを貫通した各カムピン５ａ，６ａ，７ａが飯合し、オスヘリコイド筒２の回転に伴ってこれを光学条件を満足するよう案内するカム溝（図中不図示）が形成されている。
【００２５】
以上の構成において、駆動ギア３が回転すると、オスヘリコイド筒２と直進筒４とが一体的に固定メスヘリコイド筒１に対して繰り出し、さらに、そこから各レンズ枠５，６，７が繰り出し可能な差動型ズーム鏡筒が構成される。
【００２６】
直進筒４の光軸方向端部上側には、台部４ｃが形成されており、この台部４ｃの上面には円柱状のピン部４ｄが形成されている。この台部４ｃをピン部４ｄはメスヘリコイド筒１の上部に光軸方向に延びるよう形成された溝部１ｅに嵌合し、鏡筒のズーム動作に応じて光軸方向前後に運動する。
【００２７】
なお、ピン４ｄの位置は、撮影レンズ郡を保持するレンズ枠５，６，７の位置と対応しているので、ピン４ｄの位置を検出することによって撮影レンズの焦点距離を知ることができる。
【００２８】
次に、図２を用いて撮影レンズの変倍動作に連動して変倍動作するファインダー光学系について説明する。レンズ鏡筒の固定メスヘリコイド筒１の上部には、ファインダーカム板１０が配設されており、このファインダーカム板１０は、固定メスヘリコイド筒１の外周に光軸方向に延びて形成された突部１ｆ，１ｇと外周全部に形成されたフランジ部１ｂとによって位置規制されて、円周方向にのみ移動可能となっている。
【００２９】
また、ファインダーカム板１０は更に上部からファインダー地板１１により押さえられている。ファインダー対物レンズ郡１２，１３を保持している対物レンズ枠１４，１５には穴部１４ａ，１５ａが形成されており、これら穴部１４ａ，１５ａにはファインダーガイドバー１６が貫通している。このファインダーガイドバー１６は、ファインダー地板１１の前端に形成された穴部１１ａにファインダー対物レンズ郡１２，１３（レンズ枠１４，１５）を光軸方向前後に案内する。
【００３０】
なお、対物レンズ枠１４，１５の回転止めのため、これら対物レンズ枠１４，１５に形成されたダボ部１４ｂ，１５ｂが、ファインダー地板１１に光軸方向に延びて形成された溝部１１ｂに嵌合している。
【００３１】
また、ファインダーカム地板１０の裏側（固定メスヘリコイド筒１に対向する側）には、第１カム溝１０ａが形成されており、この第１カム溝１０ａには直進筒４のピン部４ｄが嵌合している。
【００３２】
さらに、ファインダーカム板１０には、第２および第３カム溝１０ｂ，１０ｃが形成されており、これら第２および第３カム溝１０ｂ，１０ｃには対物レンズ枠１４，１５のダボ部１４ｃ，１５ｃが嵌合している。
【００３３】
ここで、図３にファインダーカム板１０の各カム溝１０ａ，１０ｂ，１０ｃを展開した形で示す。ピン４ｄは、鏡筒の格納沈胴時は第１カム溝１０ａから外れる（図中に丸囲みの「沈」で示す位置にある）。また、ワイド端では、第１カム溝１０ａにおける図中に丸囲みの「Ｗ」で示す位置まで入る。この時各ダボ部１４ｃ，１５ｃは、第２および第３カム溝１０ｂ，１０ｃ内における図中に丸囲みの「Ｗ」で示す位置にある。沈胴時も、ダボ部１４ｃ，１５ｃはワイド端位置と同じ位置にある。
【００３４】
撮影レンズが繰り出されると、カム板１０はピン４ｄがダボ１４ｃ，１５ｃに対して図３中左方向に移動し、テレ端ではピン４ｄやダボ１４ｃ，１５ｃはカム板１０に対して図中にて丸囲みの「Ｔ」で示す位置まで移動する。このため各ファインダーレンズ枠１４，１５はカム溝１０ｂ，１０ｃに案内されてそれぞれ光軸方向に移動する。
【００３５】
このような構成によれば、沈胴時は直進筒４とファインダーカム板１０との連動を行なっているピン部４ｄが、カム板１０ａからはずれ、カム板１０が円周方向に対してフリーになるので、このカム板１０を固定するために、カム板固定バネ１７が設けられている。具体的には、固定バネ１７の突部１７ａがカム板１０の端面１０ｄに形成されたＶ溝１０ｅに係合して、沈胴からワイドの間でカム板１０を保持する。また、ワイド端からテレ端の間は、カム板１０の端面１０ｄとカム固定バネ１７とが当接して、これらの間に摩擦力が作用する。
【００３６】
このように変倍動作したファインダー対物レンズを通過した光束は、三角プリズム１８を通った後、ダハプリズム１９との間で結像される。このためダハプリズム１９と接眼レンズ２０とを通してファインダー像を見ることができる。
【００３７】
次に、撮影レンズの合焦機構について図４を用いて明する。図４は、オスヘリコイド筒５の内側に形成されたカム溝の展開図である。このカメラのズーム停止位置は、図中に丸囲みの「Ｂ」，「Ｃ」，「Ｄ」，「Ｅ」で示す４ポジションである。２１は１群撮影レンズのレンズ枠５の外周に形成されたカムピン５ａが嵌合するカム溝であり、このカム溝２１はカムピン５ａと同一本数形成されている。２２は２群撮影レンズのレンズ枠６の外周に形成されたカムピン６ａが嵌合するカム溝であり、このカム溝２２はカムピン６ａと同一本数存在する。
【００３８】
図中の丸囲み「Ａ」で示す位置はカメラの沈胴位置であり、同「Ｂ」はワイド位置である。また、Ｆで示す領域はワイド端における無限から至近までの合焦繰出し範囲である。この合焦繰出し範囲は各ポジション「Ｃ」，「Ｄ」，「Ｅ」にも同様に設けられている。２群のカム溝２２のＦ領域でカム溝２２の方向がその手前までの方向と逆向きになっているのは、テレ側にオスヘリコイド筒２が繰り出される量と同等な量だけ２群レンズ枠６を戻すためである。このため、Ｆ領域では、２群レンズ枠６は光軸方向に全く動かず、１群レンズ枠５だけが動く。そして、このＦ領域で回転することで、撮影レンズは合焦動作を行なう。
【００３９】
なお、他の各ポジション「Ｃ」，「Ｄ」，「Ｅ」でも、これと同一の動作によって撮影レンズの合焦動作が行われる。
【００４０】
ここで、カメラ防振制御手段をＯＮにした場合の撮影レンズ鏡筒の沈胴位置からの繰出しシーケンスでは、図４−ａに丸囲み「イ」の矢印で示すように、２群撮影レンズを一度合焦領域Ｆを超える位置まで繰り出した後、無限端まで戻している。図３−ａに示すように、カム板１０の第１カム溝１０ａに合焦動作時にファインダー光学系を動かさないための溝幅を設けている。すなわち、撮影レンズの沈胴位置からの繰出し時および変倍動作時には、前述した繰出しのシーケンスにしたがって、カムピン４ｄが第１カム溝１０ａの第１のカム面１０ａ１に沿って移動し、変倍動作時にはカム板１０を図３−ａ中左方向に駆動する。このため、変倍動作時には、２群撮影レンズとファインダーレンズとが連動して動き、自動的に撮影倍率に合ったファインダー倍率が設定される。
【００４１】
なお、各ポジションＢ〜Ｅにおいて、２群撮影レンズは一度合焦領域外に出た後、無限端まで戻るので、ピン４ｄは４ｄ′から４ｄ″で示す位置に戻って停止する。この４ｄ″位置は第２カム面１０ａ２にほぼ接する位置である。
【００４２】
そして、２群撮影レンズの合焦動作時はピン４ｄが位置４ｄ′と４ｄ″との間を動くだけである。このため、合焦動作時はファインダーレンズは動かない。
【００４３】
次に、カメラ防振制御手段をＯＦＦにした場合の撮影レンズ鏡筒の沈胴位置からの繰出しシーケンスでは、図４−ｂに丸囲み「ロ」の矢印で示すように、無限端まで繰り出して停止している。図３−ｂに示すように、撮影レンズの沈胴位置からの繰出し時および変倍動作時には、前述した繰出しのシーケンスにしたがって、カムピン４ｄが第１カム溝１０ａの第１のカム面１０ａ１に沿って移動し、変倍動作時にはカム板１０を図３−ｂ中左方向に駆動する。このため、変倍動作時には、２群撮影レンズとファインダーレンズとが連動して動き、自動的に撮影倍率に合ったファインダー倍率が設定される。
【００４４】
この時、カメラ防振制御手段ＯＮ時の図３−ａと比較して、カム板１０は、差Ｌｂ分だけ回転量が少なく、視野率が高くなっている。
【００４５】
この実施例特有の効果は、ファインダー光学系を動かす第１カム溝１０ａの溝幅を、その溝に嵌入するピン４ｄより広くして、カム溝の前側線と後側線の使い分けで、視野率を切り換える事によって、部品点数を増やす事無く、小型な見易いファインダーとなっている事である。
【００４６】
また、第１カム溝のテレ側の傾斜とワイド側の傾斜を変えているため、カメラ防振制御手段がＯＮ時において、ワイド側の視野率よりもテレ側の視野率を低くなり、手ブレを起こしていても、テレ側でも写る範囲を確実に、見易い表示ができる。
【００４７】
カメラ防振制御手段をＯＮにしている際は、鏡筒が合焦動作を行っても、ファインダの像倍率が変化せず、使用者にとって、違和感のないファインダーとなっている。
【００４８】
（実施形態２）
図５は本発明によるカメラのファインダー（被写体表示装置）部分の第２の実施の形態を示す断面図である。
【００４９】
このカメラは、図に示していないが、ズームレンズカメラであり、撮影像のブレを低減するカメラ防振制御手段を有している。
【００５０】
また、図６は図５のファインダーの斜視図であり、ファインダーがワイド端にある状態を示している。更に、図７は図５のファインダーの正面図である。図５及び図６において、１０１はケース、１０２はアクチュエータとしてのステッピングモータ、１０３はカム筒、１０４はガイド軸、１０５は第１移動枠、１０６は第２移動枠、１０７は第１プリズム、１０８はマスク、１０９は第２プリズム、１１０は接眼レンズである。
【００５１】
ステッピングモータ１０２はファインダー光軸と平行に、かつ、カム筒１０３内に同軸状に配置されている。ステッピングモータ１０２の後部は、ケース１０１の凸部１０１ａの内径に嵌合固定されている。また、ステッピングモータ１０２の先端には、その回転を減速出力する遊星ギヤユニット１０２ａが固定されている。更に、遊星ギヤユニット１０２ａの回転軸１０２ｂは、カム筒１０３に圧入固定されている。このステッピングモータ１０２に接続された電源供給・制御用のリード線１０２ｅは、ケース１０１の穴１０１ｇを通って接点１０２ｃと接点１０２ｄに接続されている。カム筒１０３は、その外周面に第１カム溝１０３ａと第２カム溝１０３ｂが配置されている。
【００５２】
後部内径１０３ｃは、ケース１０１の凸部１０１ａの外径に回転可能に嵌合している。
【００５３】
ガイド軸１０４は、その先端１０４ａがケース１０１のガイド孔１０１ｂに嵌入し、後端１０４ｂがケース１０１のガイド孔１０１ｃに嵌入して、ケース１０１に対して固定されている。第１移動枠１０５には、ファインダーの光軸周りに凹レンズ部１０５ａが配置されている。凹レンズ部１０５ａは、ガイド軸１０４に嵌合してファインダー光軸方向にスライドする嵌合部１０５ｂを備えている。また、凹レンズ部１０５ａは、ケース１０１に設けられたガイド溝１０１ｄに嵌合してガイド軸１０４周りの回転を防止するためのガイドピン１０５ｃと、カム筒１０３の第１カム溝１０３ａに嵌入して第１移動枠１０５をファインダー光軸方向に移動させるカムピン１０５ｄを有している。
【００５４】
第２移動枠１０６は、ファインダーの光軸周りに凸レンズ部１０６ａを備えている。この凸レンズ部１０６ａは、ガイド軸１０４と嵌合してファインダー光軸方向にスライドする嵌合部１０６ｂ、ケース１０１のガイド溝１０１ｄと嵌合して、ガイド軸周りの回転を防止するガイドピン１０６ｃ、カム筒１０３の第２カム溝１０３ｂに嵌入し、第２移動枠１０６をファインダー光軸方向に移動させるカムピン１０６ｄを持つ、ケース１０１は、被写体から第１移動枠１０５に達する光線を規制する第１開口部１０１ｅと、第２移動枠１０６から第１プリズム１０７に達する光線を規制する第２開口部１０１ｆが配置されている。また、第２開口部１０１ｆの後部には第１プリズム１０７が配置され、第１プリズム１０７の前面から入射した光線は、第１プリズム１０７により２回（各９０度）反射されてマスク１０８の面で一次結像する。マスク１０８の前部には第２プリズム１０９が配置され、第２プリズム１０９の底部より入射した光線は、２回（各９０度）反射されて後方の接眼レンズ１１０に向けて射出される。接眼レンズ１１０を透過した光線は、接眼レンズ１１０を覗いている撮影者の目に達する。
【００５５】
ここでは、第１プリズム１０７、マスク１０８、第２プリズム１０９、接眼レンズ１１０を支持する部品の図示を省略している。
【００５６】
図８はカム筒１０３の展開図を示し、第１カム溝１０３ａは、ワイド（広角）位置１０３ａ１からこのカメラの撮影光学系の望遠状態以上の超テレ（超望遠）位置１０３ａ４まで形成されている。第２カム溝１０３ｂも、ワイド（広角）位置１０３ｂ１からこのカメラの撮影光学系の望遠状態以上の超テレ（超望遠）位置１０３ｂ４まで形成されている。
【００５７】
ワイド端状態では、第１移動枠１０５のカムピン１０５ｄがワイド位置１０３ａ１に位置し、第２移動枠１０６のカムピン１０６ｄがワイド位置１０３ｂ１に位置する。ステッピングモータ１０２が回転すると、遊星ギヤユニット１０２ａを介してカム筒１０３が回転する。カム筒１０３上のカム溝１０３ａによって第１移動枠１０５はワイド位置１０３ａ１から一旦繰り込まれ、また被写体側へ繰り出され、超テレ（超望遠）位置１０３ａ４に移動する。また、カム溝１０３ｂによって第２移動枠１０６はワイド（広角）位置１０３ｂ１から被写体側へ繰り出され、超テレ（超望遠）位置１０３ｂ４に移動する。
【００５８】
この様に、第１移動枠１０５と第２移動枠１０６の前後進移動により、ファインダーの像倍率はワイド（広角）側から超テレ（超望遠）側へ連続的に変化する。また、ステッピングモータ１０２を逆回転させると、ファインダーの像倍率は超テレ側からワイド側へ変化する。
【００５９】
以上の構成の本実施例の動作を図１０のフローチャートを用いて説明する。
【００６０】
まず、ステップ１では、不図示のズームボタンのスイッチが押された場合、ステップ２に進み、カメラ防振制御手段がＯＦＦの場合は、ステップ４に進み、ファインダーカムの第１カム溝１０３ａの使用範囲は、撮影レンズがワイド時にワイド位置１０３ａ１で、撮影レンズがテレ時にテレ位置１０３ａ３でのように、１０３ａ１から１０３ａ３の範囲に制限される。同様に第２カム溝１０３ｂの使用範囲は、撮影レンズがワイド時にワイド位置１０３ｂ１で、撮影レンズがテレ時にテレ位置１０３ｂ３でのように、１０３ｂ１から１０３ｂ３の範囲に制限される。
【００６１】
また、ステップ２でカメラ防振制御手段がＯＮの場合は、ステップ３に進み、ファインダーカムの第１カム溝１０３ａの使用範囲は、撮影レンズがワイド時に超ワイド位置１０３ａ２で、撮影レンズがテレ時に超テレ位置１０３ａ４でのように、１０３ａ２から１０３ａ４の範囲に制限される。同様に第２カム溝１０３ｂの使用範囲は、撮影レンズがワイド時に超ワイド位置１０３ｂ２で、撮影レンズがテレ時に超テレ位置１０３ｂ４でのように、１０３ｂ２から１０３ｂ４の範囲に制限される。
【００６２】
各々ステップ３、４を通過してステップ５へ進み、ファインダーのステッピングモータを回転させ、撮影光学系のズーミングに同調して、ファインダーもズーミングする。
【００６３】
次のステップ６では、ズームボタンのスイッチがＯＦＦの場合は、ステッピングモータの回転動作を終了し、ズームボタンのスイッチがまだＯＮの場合は、ステッピングモータをさらに回転させる。
【００６４】
この実施例特有の効果として、カム溝をテレ端より延長する事で視野率を切り換えているため、部品点数を増やすことなく静音で、見易い被写体表示装置となる。
【００６５】
また、ファインダーを専用のステッピングモータで、駆動しているため、ファインダーのカムにワイド端から沈胴端間でのカム溝が不要となり、ファインダーを小型にできる。
【００６６】
同様に、ファインダーを専用のステッピングモータで、駆動しているため、各焦点距離に応じた視野率や、検出された手ブレ量に応じて視野率を任意に連続的に変化可能となる。
【００６７】
（実施形態３）
以下、本発明の第３実施例を図１１及び図１２に基づいて説明する。図１１は本実施例の構成を示すブロック図である。同図において、３０１はカメラの各種動作を制御するマイコンであり、３０２は被写体までの距離を測定する測距手段、３０３は該測距手段３０２の結果に基づき撮影レンズを駆動するレンズ駆動手段、３０４は後記する各種液晶を駆動する液晶駆動手段、３０５は被写体輝度を測定する測光手段、３０６は該測光手段３０５の結果に基づき被写体が低輝度の場合などに発光する閃光発光手段、３０７はフィルムを給送するフィルム給送手段であって、これらの手段はそれぞれ該マイコン３０１に接続されている。また、３０８は、撮影される被写体範囲を表示するＬＣＤで、３０９は、カメラの像ブレが有る場合に確実に撮影される範囲を示す為の防振補正マーク１で、前記ＬＣＤ駆動手段３０４で駆動される表示形式である。また、３１３も、像ブレが大きい場合に確実に撮影される範囲を示す為の防振補正マーク２であり、防振補正マーク１よりも小さい範囲を表示できる表示である。３１０は、カメラのブレを検出する振動検出手段で、３１１は振動検出手段の出力に応じてカメラの像ブレを補正する補正光学手段である。３１２は、ズームレンズの焦点距離を検出する焦点距離検出手段である。
【００６８】
以上の構成の本実施例の動作を図１２のフローチャートを用いて説明する。
【００６９】
まず、ステップ１では、不図示のシャッターボタンの第１段スイッチが押され、カメラのブレの大きさと方向を検出を開始する。ステップ２では、振動検出手段３１０の振動測定データがマイコン３０１に読み込まれる。ステップ３では、振動測定結果と、測光手段３０５による測光値と、焦点距離検出手段３１２による焦点距離値から、ＬＣＤ３０８に防振補正マークを表示する必要があるかどうか判別し、表示が必要で有ると判別された場合にステップ４へ進み、表示が必要で無ければステップ１１へ進む。
【００７０】
ステップ４では、手ブレの振動量の大小を判別し、振動量が大きい場合は、ステップ５に進み、防振補正マーク２の３１３を点灯し、かつ防振補正マーク１の３０９を点滅させて、確実に写る範囲を示すと共に、手ブレが大きいことを警告する。この防振補正マーク上には、防振制御が作動する事を明確にするための「ＩＳ」というマークも表示され、ステップ７へ進む。
【００７１】
また、ステップ４で、手ブレの振動量が小さいと判別された場合は、ステップ６に進み、ＬＣＤ３０８上に、防振補正マーク１の３０９を表示して、確実に写る範囲を示し、ステップ７へ進む。
【００７２】
次のステップ７では、シャッターボタンの第２段スイッチがＯＮの場合、ステップ７へ進み、補正光学系の駆動を開始し、ステップ９でシャッター開閉動作を行い、ステップ１０で補正光学系の駆動を終了し、一連の撮影動作を終了する。
【００７３】
また、ステップ１１では、シャッターボタンの第２段スイッチがＯＮの場合、ステップ１２へ進み、シャッター開閉動作を行い、一連の撮影動作を終了する。
【００７４】
この実施例特有の効果は、ＬＣＤに防振補正マークを表示させるため、使用者に防振制御手段がＯＮになっていることを明確に示す事が可能である。また、防振補正マーク中に防振制御中である文字を入れる事により、より使用者に防振制御手段がＯＮなっていることを表示可能となる。
【００７５】
また、手ブレの量により、２種類の防振補正マークを切り換える為、より見易いＬＣＤの表示となる。
【００７６】
さらに、手ブレが大きい場合は、撮影範囲を示す防振補正マーク２の点灯と共に、防振補正マーク１を点滅させるため、撮影者に手ブレが大きいことを警告できる。
【００７７】
【発明の効果】
以上説明したように、本発明に係わる請求項１記載の発明によれば、カメラ防振制御手段のＯＮ−ＯＦＦに連動して被写体表示手段の視野率を切り換える事により、防振制御の有無に係わらず、見易い被写体表示装置となる。
【００７８】
また、本発明に係わる請求項２記載の発明によれば、撮影光学系の変倍動作に応じて、被写体表示手段の視野率が変化する事により、各々の焦点距離で、見易い被写体表示装置となる。
【００７９】
また、本発明に係わる請求項３記載の発明によれば、カメラブレに応じて被写体表示手段の視野率を変化させる事により、カメラブレ量に応じて見易い被写体表示装置となる。
【００８０】
また、本発明に係わる請求項４記載の発明によれば、小型で、小電力で、静音で、見易い被写体表示装置となる。
【００８１】
また、本発明に係わる請求項５記載の発明によれば、小型で、低コストで、小電力で、静音で、見易い被写体表示装置となる。
【００８２】
また、本発明に係わる請求項６記載の発明によれば、小型な被写体表示装置となる。
【００８３】
また、本発明に係わる請求項７，８，９，１０記載の発明によれば、撮影される範囲が見易い被写体表示装置となる。
【００８４】
また、本発明に係わる請求項１１記載の発明によれば、小型で、静音で、見易い被写体表示装置となる。
【００８５】
また、本発明に係わる請求項１２記載の発明によれば、小型で、低コストで、小電力な被写体表示装置となる。
【図面の簡単な説明】
【図１】本発明による第１実施例のカメラの撮影レンズ鏡筒の斜視図である。
【図２】上記鏡筒およびファインダー変倍機構を示す斜視図である。
【図３】上記ファインダー変倍機構のファインダーカム板の平面図である。
【図４】上記鏡筒に形成された変倍用カム溝の展開図である。
【図５】本発明による第２実施例の形態を示す断面図である。
【図６】図５のファインダーの斜視図である。
【図７】図５のファインダーの正面図である。
【図８】第２実施例の形態におけるカム筒の詳細を示す展開図である。
【図９】第２実施例の形態におけるカム筒の詳細を示す側面図である。
【図１０】第２実施例の動作を説明するフローチャートである。
【図１１】本発明による第３実施例のファインダー表示の構成を示すブロック図である。
【図１２】第３実施例の動作を説明するフローチャートである。
【符号の説明】
１　固定メスヘリコイド筒
２　オスヘリコイド筒
４　直進筒
５，６　レンズ枠
１０，３８　ファインダーカム板
１２，１３，３５，３６　ファインダー対物レンズ
２１，２２　（オスヘリコイド筒の）カム溝
３１　変倍用モータ
３４，３７　ギア
３４ａ，３７ａ　（ギアの）凸部
１０１　ケース
１０１ａ　凸部
１０１ｂ，１０１ｃ　ガイド孔
１０１ｄ　ガイド溝
１０１ｅ　第１開口部
１０１ｆ　第２開口部
１０１ｇ　穴
１０２　ステッピングモータ
１０２ａ　遊星ギヤユニット
１０２ｂ　回転軸
１０２ｃ，１０２ｄ　接点
１０２ｅ　リード線
１０３　カム筒
１０３ａ　第１カム溝
１０３ａ１　ワイド（広角）位置
１０３ａ２　超ワイド位置
１０３ａ３　テレ（望遠）位置
１０３ａ４　超テレ位置
１０３ｂ　第２カム溝
１０３ｂ１　ワイド（広角）位置
１０３ｂ２　超ワイド位置
１０３ｂ３　テレ（望遠）位置
１０３ｂ４　超テレ位置
１０４　ガイド軸
１０５　第１移動枠
１０５ａ　凹レンズ部
１０５ｂ，１０６ｂ　嵌合部
１０５ｃ，１０６ｃ　ガイドピン
１０５ｄ，１０６ｄ　カムピン
１０６　第２移動枠
１０６ａ　凸レンズ部
１０７　第１プリズム
１０８　マスク
１０９　第２プリズム
１１０　接眼レンズ
３０１　マイコン
３０２　測距手段
３０３　レンズ駆動手段
３０４　ＬＣＤ駆動手段
３０５　測光手段、
３０６　閃光発光手段
３０７　フィルム給送手段
３０８　ＬＣＤ
３０９　防振補正マーク
３１０　防振検出手段
３１１　補正光学手段
３１２　焦点距離検出手段
【図１】
2004012499.tif 000003
【図２】
2004012499.tif 000004
【図３】
2004012499.tif 000005
【図４】
2004012499.tif 000006
【図５】
2004012499.tif 000007
【図６】
2004012499.tif 000008
【図７】
2004012499.tif 000009
【図８】
2004012499.tif 000010
【図９】
2004012499.tif 000011
【図１０】
2004012499.tif 000012
【図１１】
2004012499.tif 000013
【図１２】
2004012499.tif 000014